【手続補正書】
【提出日】平成17年6月10日(2005.6.10)
【手続補正１】
【補正対象書類名】明細書
【補正対象項目名】全文
【補正方法】変更
【補正の内容】
【書類名】          明細書
【発明の名称】      フレグランス化粧料
【特許請求の範囲】
【請求項１】  水性成分中へ香料成分０．１〜２０重量％を可溶化した、可溶化タイプのフレグランス化粧料であって、香料成分全量に対して５〜４０重量％のジャスモネート類を含有すると共に、可溶化剤としてポリオキシエチレン（５〜１０）ヤシ油脂肪酸グリセリル及び／又はポリオキシエチレン（５〜１０）ヤシ（カプリル酸／カプリン酸）グリセリルを含有することを特徴とする、フレグランス化粧料。
【請求項２】  ポリオキシエチレン（５〜１０）ヤシ油脂肪酸グリセリル及び／又はポリオキシエチレン（５〜１０）ヤシ（カプリル酸／カプリン酸）グリセリルの含有量が０．１〜１０重量％であることを特徴とする、請求項１に記載のフレグランス化粧料。
【請求項３】  更に、ポリオキシエチレン（３０〜８０）硬化ヒマシ油を１〜５重量％含有することを特徴とする、請求項１又は２に記載のフレグランス化粧料。
【請求項４】  香調が、フレッシュ、フルーティー及びフローラルから選ばれる１乃至は２以上の調子を有することを特徴とする、請求項１〜３何れか１項に記載のフレグランス化粧料。
【発明の詳細な説明】
【０００１】
【発明の属する技術分野】
本発明は、水性成分中へ香料成分を可溶化した、可溶化タイプのフレグランス化粧料に関する。
【０００２】
【従来の技術】
体臭などをカバーし、人に好ましい印象を形成するために、人類は古くより、香料などの芳香成分を使用してきた。かかる芳香成分としては、当初は、芳香性を有する天然成分を直接そのまま用いたり、熱により、気化させこれを衣服などに吸着させるお香の形で使用してきた。
【０００３】
その後、この取扱を簡便にする目的と、香しい成分の熱による変質をさける為に、エタノールを溶媒とする、オーデコロンやオードトワレと言った溶液剤形の開発が為され、この様な製剤が長期間にわたってフレグランス化粧料の主流となっていた。これは、エタノールの、安全性が高く、香料成分の可溶化能に優れること、揮発性に優れ塗布後速やかに香料成分のみになること等の多くの長所を有することに起因する。
【０００４】
しかしながら、この様な長所の多いエタノールについても、環境科学的な見地から、その使用制限がかけられる傾向にあり、その使用量の減量が望まれるようになってきている。この様な観点から、フレグランス化粧料に於いては、エタノールを溶解剤とするタイプのフレグランス料に代わる剤形の開発が望まれ、ポリオキシエチレン硬化ヒマシ油を可溶化用の界面活性剤として、長鎖或いは短鎖の液状アルコールを可溶化助剤とする、水性成分中へ香料成分を可溶化した、可溶化タイプのフレグランス化粧料が開発されるに至った。
【０００５】
ところが、これらの可溶化タイプのフレグランス化粧料に於いては、香料の種類により、可溶化が困難になる場合があったり、感触的なベタツキの発生、保香性の悪さなど解決すべき問題が山積していた。この様な可溶化上の問題は、ジャスモネート類を多く含有する、フレッシュ、フルーティー或いはフローラルの香調の香料組成物の可溶化については取り分け重要であった。
【０００６】
一方、水性成分中へ香料成分を可溶化した、可溶化タイプのフレグランス化粧料であって、ポリオキシエチレンヤシ油脂肪酸グリセリルを含有することを特徴とする、フレグランス化粧料は未だ知られていない。
【０００７】
【発明が解決しようとする課題】
本発明は、この様な状況下為されたものであり、安定性、保香性、使用感に優れる水性成分中へ香料成分を可溶化した、可溶化タイプのフレグランス化粧料を提供することを課題とする。
【０００８】
【課題を解決するための手段】
この様な状況に鑑みて、本発明者らは、安定性、保香性、使用感に優れる水性成分中へ香料成分を可溶化した、可溶化タイプのフレグランス化粧料を求めて、鋭意研究努力を重ねた結果、特定のポリオキシエチレン脂肪酸グリセリルを含有することを特徴とする、フレグランス化粧料にその様な特質を見出し、発明を完成させるに至った。即ち、本発明は、次に示す技術に関するものである。
【０００９】
（１）水性成分中へ香料成分０．１〜２０重量％を可溶化した、可溶化タイプのフレグランス化粧料であって、香料成分全量に対して５〜４０重量％のジャスモネート類を含有すると共に、可溶化剤としてポリオキシエチレン（５〜１０）ヤシ油脂肪酸グリセリル及び／又はポリオキシエチレン（５〜１０）ヤシ（カプリル酸／カプリン酸）グリセリルを含有することを特徴とする、フレグランス化粧料。
（２）ポリオキシエチレン（５〜１０）ヤシ油脂肪酸グリセリル及び／又はポリオキシエチレン（５〜１０）ヤシ（カプリル酸／カプリン酸）グリセリルの含有量が０．１〜１０重量％であることを特徴とする、（１）に記載のフレグランス化粧料。
（３）更に、ポリオキシエチレン（３０〜８０）硬化ヒマシ油を１〜５重量％含有することを特徴とする、（１）又は（２）に記載のフレグランス化粧料。
（４）香調が、フレッシュ、フルーティー及びフローラルから選ばれる１乃至は２以上の調子を有することを特徴とする、（１）〜（３）何れか１つに記載のフレグランス化粧料。
以下、本発明について、実施の形態を中心に詳細に説明を加える。
【００１０】
【発明の実施の形態】
（１）本発明の必須成分であるポリオキシエチレン脂肪酸グリセリル
本発明のフレグランス化粧料は、必須成分として、ポリオキシエチレン脂肪酸グリセリルを含有することを特徴とする。このポリオキシエチレン脂肪酸グリセリルは洗浄剤の分野において、既に洗浄補助剤として使用されている。
【００１１】
かかるポリオキシエチレン脂肪酸グリセリルを構成する脂肪酸としては、ヤシ油を構成している脂肪酸が挙げられる。また、ヤシ油を加水分解し、グリセリンを除いたヤシ油脂肪酸、それを精製して得られる、カプリル酸、カプリン酸等が挙げられる。これは、ヤシ油構成脂肪酸が特に保香性に優れ、ベタツキが少ないからである。
【００１２】
ポリオキシエチレンの付加モル数としては、５〜１０が挙げられる。これは、付加モル数が少ないと可溶化できない場合があり、付加モル数が多すぎると香の立ちが阻害される場合があるからである。この様なポリオキシエチレン脂肪酸グリセリルは多くのものが市販されており、本発明のフレグランス化粧料ではかかる市販品を使用することが出来る。
【００１３】
好ましい市販品としては、ハイバーオイルＨＥ（交洋ファインケミカル株式会社製、ポリオキシエチレン（７）ヤシ油脂肪酸グリセリル）とセチオールＨＥ（ヘンケルジャパン株式会社製、ポリオキシエチレン（７）ヤシ油脂肪酸グリセリル）、セチオールＨＥ８１０（ヘンケルジャパン株式会社製、ポリオキシエチレン（７）ヤシ（カプリル酸／カプリン酸）グリセリル）が挙げられる。
【００１４】
本発明のフレグランス化粧料に於いて、これらポリオキシエチレン脂肪酸グリセリルはフレッシュ、フルーティー、フローラルと言った香調のベースとなるメチルジヒドロジャスモネート、ジヒドロジャスモネート或いはジャスモネートと言ったジャスモネート類の可溶化には特に好適である。
【００１５】
この様な香調をとることにより、使用感に爽やかさが得られることから、本発明のフレグランス化粧料の効果を更に高めることが出来るので、香調としては、この様なフレッシュ、フルーティー及びフローラルから選ばれる１つ乃至は２つ以上の調子であることが好ましい。
【００１６】
また、この様な香調になるためには、前記ジャスモネート類を香料成分全量に対して５〜４０重量％、更に好ましくは１０〜２５重量％含有させるのが好ましい。これら香料成分の含有量は、フレグランス化粧料全量に対して、０．１〜２０重量％、更に好ましくは１〜１５重量％である。
【００１７】
本発明のフレグランス化粧料に於ける、ポリオキシエチレン脂肪酸グリセリルの好ましい含有量は、０．１〜１０重量％であり、更に好ましくは０．５〜５重量％である。これは、少なすぎると可溶化することが出来ず、多すぎると却って安定性を損なったり、使用性を損なったりすることがあるからである。
【００１８】
（２）本発明のフレグランス化粧料
本発明のフレグランス化粧料は、上記ポリオキシエチレン脂肪酸グリセリルを含有し、水性成分中に香料成分を可溶化した形態をとることを特徴とする。従って、本発明のフレグランス化粧料としては、芳香付与を目的とするオーデコロン、オードトワレ、パルファン等が好ましく例示できる。これらの中でも、エタノールを配合しない系でも爽やかな使用感を有する特性を利用した、オーデコロンが特に好ましく適用される。特に、本発明のフレグランス化粧料に於ける好ましい形態としては、エタノールを配合しない、所謂エタノールフリー系であり、このものは環境的配慮もされるので特に好ましい。
【００１９】
本発明のフレグランス化粧料に於いては、上記の必須要素を満たし、本発明の効果を損ねない範囲に於いて、通常化粧料で使用される任意成分を含有することが出来る。この様なに任意成分としては、スクワラン、ワセリン、マイクロクリスタリンワックス等の炭化水素類、ホホバ油、カルナウバワックス，オレイン酸オクチルドデシル等のエステル類、オリーブ油、牛脂、椰子油等のトリグリセライド類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール、ジプロピレングリコール、ジグリセリン等の多価アルコール類、増粘・ゲル化剤、酸化防止剤、紫外線吸収剤、色剤、防腐剤、粉体等を含有することができる。
【００２０】
これらの内、特に好ましいものは、非イオン界面活性剤であり、中でも従来より、可溶化剤として実績のあるポリオキシエチレン硬化ヒマシ油である。ポリオキシエチレンの付加モル数は３０〜８０のものが特に好ましい。また、かかる非イオン界面活性剤の含有量は１〜５重量％が特に好ましい。
【００２１】
また、エタノールやプロパノール、ブタノールなどの低級アルコールは、配合しなくとも本発明のフレグランス化粧料に於いては、使用感や安定性の面で何ら問題が生じないことから、配合しないことが特に好ましい。これは、本発明のフレグランス化粧料の爽やかな使用感の特性に起因する。
【００２２】
更に、本発明のフレグランス化粧料に於いて含有することが好ましい成分としては、多価アルコールが挙げられ、多価アルコールとしては、安全性と防腐力の観点から１，３−ブタンジオール及び／又はジプロピレングリコールが好ましく例示でき、中でも１，３−ブタンジオールが特に好ましい。好ましい含有量としては、８〜１５重量％が挙げられる。
【００２３】
本発明のフレグランス化粧料は、これら必須の成分と任意の成分とを常法に従って処理することにより製造することが出来る。
【００２４】
【実施例】
以下に、実施例を示して、本発明について更に詳細に説明を加えるが、本発明が、これら実施例にのみ限定されないことは言うまでもない。
【００２５】
＜実施例１＞
次に示す処方に従って、エタノールフリーのオーデコロンを作成した。即ち、処方成分を８０℃に加熱し、攪拌、可溶化し、冷却して、本発明のフレグランス化粧料であるオーデコロンを得た。
【００２６】
ＰＯＥ（５０）硬化ヒマシ油            ３    重量部
ＰＯＥ（７）ヤシ油脂肪酸グリセリル    ２    重量部
１，３−ブタンジオール              １０    重量部
メチルパラベン                        ０．４重量部
香料                                  ３    重量部
メチルジヒドロジャスモネート  １２％
カシスベース                  ７０％
リナロール                    １８％
クエン酸                              ０．１重量部
クエン酸ナトリウム                    ０．６重量部
水                                  ７０．９重量部
【００２７】
＜実施例２＞
実施例１のオーデコロンを用いて、安定性試験を行った。即ち、実施例１のオーデコロンを４０℃で１ヶ月保存し、２０℃に戻して可溶化状態を濁度（５５０ｎｍの吸光度）を指標に評価した。
【００２８】
比較例１としては、ポリオキシエチレン（７）ヤシ油脂肪酸グリセリルをポリオキシエチレン（５０）硬化ヒマシ油に置換したものを、比較例２には、ポリオキシエチレン（２０）ベヘニルエーテルに置換したものを、比較例３にはポリオキシエチレン（４５）ステアリン酸エステルに置換したものを用いた。
【００２９】
結果を表１に示す。これより、本発明のフレグランス化粧料は可溶化安定性に優れることが明白である。
【００３０】
【表１】
2001213718.tif 000001
【００３１】
＜実施例３＞
実施例２と同じ検体を用いて、保香性試験を行った。保香性試験は、化粧料１０μｌを濾紙にチャージし、このものを４８時間室温に放置し、香の残り具合を、＋＋：明確に残っている、＋：感知しうる、±：感知がやや難しい、−：感知できない、の基準で５人の調香師に判定してもらった。
【００３２】
結果を出現例数として表２に示す。これより、本発明のフレグランス化粧料は、保香性に優れることがわかる。
【００３３】
【表２】
2001213718.tif 000002
【００３４】
＜実施例４＞
次に示す処方に従って、エタノールフリーのオーデコロンを作成した。即ち、処方成分を８０℃に加熱し、攪拌、可溶化し、冷却して、本発明のフレグランス化粧料であるオーデコロンを得た。このものの４０℃１ヶ月の保存条件での濁度は０．９％であった。
【００３５】
ＰＯＥ（５０）硬化ヒマシ油                          ３    重量部
ＰＯＥ（７）（カプリル酸／カプリン酸）グリセリル    ２    重量部
１，３−ブタンジオール                            １０    重量部
メチルパラベン                                      ０．４重量部
香料                                                ３    重量部
メチルジヒドロジャスモネート  １２％
カシスベース                  ７０％
リナロール                    １８％
クエン酸                                            ０．１重量部
クエン酸ナトリウム                                  ０．６重量部
水                                                ７０．９重量部
【００３６】
＜実施例５＞
次に示す処方に従って、エタノールを含有するオーデコロンを作成した。即ち、処方成分を８０℃に加熱し、攪拌、可溶化し、冷却して、本発明のフレグランス化粧料であるオーデコロンを得た。
【００３７】
このものと実施例１のオーデコロンと使用感を比較したが殆どさっぱり感と残り感について差が認められなかった。これは、本発明のフレグランス化粧料の使用感が非常にさっぱりしているため、エタノールの添加効果が現れないためである。即ち、本発明のフレグランス化粧料はエタノールの揮散による効果を得なくとも優れた使用感を有することがわかる。
【００３８】
ＰＯＥ（５０）硬化ヒマシ油            ４    重量部
ＰＯＥ（７）ヤシ油脂肪酸グリセリル    ２    重量部
１，３−ブタンジオール              １０    重量部
メチルパラベン                        ０．４重量部
香料                                  ５    重量部
メチルジヒドロジャスモネート  １２％
カシスベース                  ７０％
リナロール                    １８％
クエン酸                              ０．１重量部
クエン酸ナトリウム                    ０．６重量部
水                                  ６１．９重量部
エタノール                            ５    重量部
【００３９】
【発明の効果】
本発明によれば、安定性、保香性、使用感に優れる水性成分中へ香料成分を可溶化した、可溶化タイプのフレグランス化粧料を提供することができる。